(57)【要約】【課題】印刷設定作業を適正かつ効率良く行えるようにする。【解決手段】印刷設定の受け付けに先立って、原稿２２を画像読取部１１で読み取った画像データを画像解析部１５で解析して、原稿の属性を表す属性を抽出する。関連機能検索部１６は、この属性に関連する機能を関連機能ＤＢ１６１に格納されている関連機能対応表に基づいて検索し、検索した関連機能によって操作表示パネル１８の表示部１８１に表示する印刷設定メニュー項目を絞り込んで表示することができる。【選択図】        図１
2006222941.tif 000002
【特許請求の範囲】
【請求項１】
取得した原稿の画像データを解析して原稿の属性を抽出する画像解析手段と、
入力された印刷設定を受け付ける設定手段と、
取得した原稿の画像データを、前記設定手段によって受け付けた印刷設定に基づいて用紙に印刷する印刷手段と、を備え、
前記設定手段は、前記印刷設定の受付けに先立って、取得した画像データを前記画像解析手段で解析して原稿の属性を抽出し、その属性に基づいて前記印刷設定の決定を行うことを特徴とする画像形成装置。
【請求項２】
所定の読み取り位置にセットされた原稿を読み取る原稿読取手段と、
読み取った原稿の画像データに対して画像処理を施す画像処理手段と、
前記原稿読取手段で読み取った原稿の画像データを解析して原稿の属性を抽出する画像解析手段と、
前記画像処理手段で画像処理された画像データを用紙に印刷する印刷手段と、
印刷した印刷用紙に対して各種仕上げ処理を施す仕上げ処理手段と、
画像データの画像処理および画像形成後の印刷用紙に対する仕上げ処理に関する印刷設定を受け付ける設定手段と、を備え、
前記設定手段は、さらに、前記印刷設定の受け付けに先立って、前記原稿読取手段により原稿を読み取り、前記画像解析手段で読み取った画像データを解析して原稿の属性を抽出し、その属性に基づいて印刷設定の決定を行うことを特徴とする画像形成装置。
【請求項３】
前記画像データを少なくとも一時的に保持する画像記憶手段をさらに備えたことを特徴とする請求項１または２に記載の画像形成装置。
【請求項４】
前記画像解析手段が抽出する属性は、原稿の画像の特徴に関する属性であることを特徴とする請求項１〜３のいずれか一つに記載の画像形成装置。
【請求項５】
前記画像解析手段が抽出する属性は、原稿のレイアウトに関する属性であることを特徴とする請求項１〜３のいずれか一つに記載の画像形成装置。
【請求項６】
個々の原稿の属性に関連した設定機能の一覧を登録した関連機能対応情報を記憶する記憶手段と、
前記画像解析手段で解析して抽出した原稿の属性を利用して、前記関連機能対応情報に基づいて、関連機能を検索する関連機能検索手段と、をさらに備え、
前記設定手段は、前記関連機能検索手段で検索された原稿の属性から導かれる関連した設定機能の選択肢のみを表示部に選択可能に表示することを特徴とする請求項１〜５のいずれか一つに記載の画像形成装置。
【請求項７】
前記設定手段は、原稿の属性から導かれる関連した設定機能の選択肢を、前記表示部の印刷設定を行う既定のメニュー項目とは別の表示エリアに選択可能に表示することを特徴とする請求項６に記載の画像形成装置。
【請求項８】
前記設定手段は、原稿の属性から導かれる関連した設定機能の選択肢を、印刷設定を行う既定のメニュー項目の上に重ねるポップアップメニューとして前記表示部に選択可能に表示することを特徴とする請求項６に記載の画像形成装置。
【請求項９】
個々の原稿の属性に関連した設定機能の一覧を登録した関連機能対応情報を記憶する記憶手段と、
前記画像解析手段で解析して抽出した原稿の属性を利用して、前記関連機能対応情報に基づいて、関連機能を検索する関連機能検索手段と、をさらに備え、
前記設定手段は、前記関連機能検索手段で検索された原稿の属性から導かれる関連した設定機能の選択肢のみを、表示部に強調表示することを特徴とする請求項１〜５のいずれか一つに記載の画像形成装置。
【請求項１０】
前記印刷設定の入力および各種画面の表示が可能な操作表示手段を更に備え、
前記設定手段は、原稿の属性から導かれる関連した設定機能の選択肢を前記操作表示手段に表示し、前記操作表示手段から所望の選択肢の指定による印刷設定を受け付けることを特徴とする請求項１〜９のいずれか一つに記載の画像形成装置。
【請求項１１】
前記原稿読取手段は、原稿トレイにセットされた複数ページの原稿を順次搬送しながら所定の読み取り位置に原稿をセットし、原稿の片面あるいは両面を連続して自動的に読み取れるようにした自動原稿搬送手段をさらに備え、
複数の原稿の読み取りと解析とを連続的に行えるようにしたことを特徴とする請求項２〜１０のいずれか一つに記載の画像形成装置。
【請求項１２】
前記画像解析手段が抽出する属性は、原稿の自動搬送に関する属性であることを特徴とする請求項１１に記載の画像形成装置。
【請求項１３】
前記画像解析手段は、前記属性のうち、定量的な属性については、平均値、最大値、最小値の少なくとも一つを求めることを特徴とする請求項１〜１２のいずれか一つに記載の画像形成装置。
【請求項１４】
前記自動原稿搬送手段を備えた原稿読取手段を用いて複数の原稿を順次読み取り、
前記画像解析手段は、抽出した原稿の属性のうち、定量的な属性については、平均値、最大値、最小値の少なくとも一つを求めるようにし、それらの値は原稿の読み取りと画像データの解析の進行に伴って逐次更新することを特徴とする請求項１１に記載の画像形成装置。
【請求項１５】
前記自動原稿搬送手段を備えた原稿読取手段を用いて複数の原稿を順次読み取り、
前記画像解析手段は、前記属性を抽出している最中に印刷開始ボタンが押下された場合は、その時点で原稿の属性の解析処理を中断することを特徴とする請求項１１に記載の画像形成装置。
【請求項１６】
前記設定手段は、前記印刷設定の受付けに先立って、取得した画像データを前記画像解析手段で解析して原稿の属性を抽出し、その属性に基づいて前記印刷設定の項目数を絞り込んで削減することを特徴とする請求項１〜１５のいずれか一つに記載の画像形成装置。
【請求項１７】
所定の読み取り位置にセットされた原稿を読み取る原稿読取装置と、
読み取った原稿の画像データに対して画像処理を施す画像処理装置と、
前記原稿読取装置で読み取った原稿の画像データを解析して原稿の属性を抽出する画像解析装置と、
前記画像処理装置で画像処理された画像データを用紙に印刷する印刷装置と、
印刷した印刷用紙に対して各種仕上げ処理を施す仕上げ処理装置と、
画像データの画像処理および画像形成後の印刷用紙に対する仕上げ処理に関する印刷設定を受け付ける設定装置と、を備え、
前記各装置間の少なくとも一部がネットワークを介して接続され、前記設定装置は、さらに、各種印刷設定の受け付けに先立って、前記原稿読取装置により原稿を読み取り、前記画像解析装置で読み取った画像データを解析して原稿の属性を抽出し、その属性に基づいて印刷設定を決定することを特徴とする画像形成システム。
【請求項１８】
取得した原稿の画像データを解析して原稿の属性を抽出する画像解析ステップと、
入力された印刷設定を受け付ける設定ステップと、
取得した原稿の画像データを、前記設定ステップによって受け付けた印刷設定に基づいて用紙に印刷する印刷ステップと、を含み、
前記設定ステップは、前記印刷設定の受付けに先立って、取得した画像データを前記画像解析ステップで解析して原稿の属性を抽出し、その属性に基づいて前記印刷設定の決定を行うことを特徴とする画像形成方法。
【請求項１９】
所定の読み取り位置にセットされた原稿を読み取る原稿読取ステップと、
読み取った原稿の画像データに対して画像処理を施す画像処理ステップと、
前記原稿読取ステップで読み取った原稿の画像データを解析して原稿の属性を抽出する画像解析ステップと、
前記画像処理ステップで画像処理された画像データを用紙に印刷する印刷ステップと、
印刷した印刷用紙に対して各種仕上げ処理を施す仕上げ処理ステップと、
画像データの画像処理および画像形成後の印刷用紙に対する仕上げ処理に関する印刷設定を受け付ける設定ステップと、を含み、
前記設定ステップは、さらに、前記印刷設定の受け付けに先立って、前記原稿読取ステップにより原稿を読み取り、前記画像解析ステップで読み取った画像データを解析して原稿の属性を抽出し、その属性に基づいて印刷設定の決定を行うことを特徴とする画像形成方法。
【請求項２０】
前記画像解析ステップが抽出する属性は、原稿の画像の特徴に関する属性であることを特徴とする請求項１８または１９に記載の画像形成方法。
【請求項２１】
前記画像解析ステップが抽出する属性は、原稿のレイアウトに関する属性であることを特徴とする請求項１８〜２０のいずれか一つに記載の画像形成方法。
【請求項２２】
前記画像解析ステップで解析して抽出した原稿の属性を利用して、記憶手段に記憶された個々の原稿の属性に関連した設定機能の一覧を登録した関連機能対応情報に基づいて、関連機能を検索する関連機能検索ステップと、をさらに含み、
前記設定ステップは、前記関連機能検索ステップで検索された原稿の属性から導かれる関連した設定機能の選択肢のみを表示部に選択可能に表示することを特徴とする請求項１８〜２１のいずれか一つに記載の画像形成方法。
【請求項２３】
前記設定ステップは、原稿の属性から導かれる関連した設定機能の選択肢を、前記表示部の印刷設定を行う既定のメニュー項目とは別の表示エリアに選択可能に表示することを特徴とする請求項２２に記載の画像形成方法。
【請求項２４】
前記設定ステップは、原稿の属性から導かれる関連した設定機能の選択肢を、印刷設定を行う既定のメニュー項目の上に重ねるポップアップメニューとして前記表示部に選択可能に表示することを特徴とする請求項２２に記載の画像形成方法。
【請求項２５】
前記画像解析ステップで解析して抽出した原稿の属性を利用して、記憶手段に記憶された個々の原稿の属性に関連した設定機能の一覧を登録した関連機能対応情報に基づいて、関連機能を検索する関連機能検索ステップをさらに含み、
前記設定ステップは、前記関連機能検索ステップで検索された原稿の属性から導かれる関連した設定機能の選択肢のみを、表示部に強調表示することを特徴とする請求項１８〜２１のいずれか一つに記載の画像形成方法。
【請求項２６】
前記設定ステップは、原稿の属性から導かれる関連した設定機能の選択肢を操作表示手段に表示し、前記操作表示手段から所望の選択肢の指定による印刷設定を受け付けることを特徴とする請求項１８〜２５のいずれか一つに記載の画像形成方法。
【請求項２７】
前記原稿読取ステップは、原稿トレイにセットされた複数ページの原稿を順次搬送しながら所定の読み取り位置に原稿をセットし、原稿の片面あるいは両面を連続して自動的に読み取れるようにした自動原稿搬送ステップをさらに含み、
複数の原稿の読み取りと解析とを連続的に行えるようにしたことを特徴とする請求項１９〜２６のいずれか一つに記載の画像形成方法。
【請求項２８】
前記画像解析ステップが抽出する属性は、原稿の自動搬送に関する属性であることを特徴とする請求項２７に記載の画像形成方法。
【請求項２９】
前記画像解析ステップは、前記属性のうち、定量的な属性については、平均値、最大値、最小値の少なくとも一つを求めることを特徴とする請求項１８〜２８のいずれか一つに記載の画像形成方法。
【請求項３０】
前記自動原稿搬送ステップにおいて原稿読取ステップを用いて複数の原稿を順次読み取り、
前記画像解析ステップは、抽出した原稿の属性のうち、定量的な属性については、平均値、最大値、最小値の少なくとも一つを求めるようにし、それらの値は原稿の読み取りと画像データの解析の進行に伴って逐次更新することを特徴とする請求項２７に記載の画像形成方法。
【請求項３１】
前記自動原稿搬送ステップにおいて原稿読取ステップを用いて複数の原稿を順次読み取り、
前記画像解析ステップは、前記属性を抽出している最中に印刷開始ボタンが押下された場合は、その時点で原稿の属性の解析処理を中断することを特徴とする請求項２７に記載の画像形成方法。
【請求項３２】
前記設定ステップは、前記印刷設定の受付けに先立って、取得した画像データを前記画像解析ステップで解析して原稿の属性を抽出し、その属性に基づいて前記印刷設定の項目数を絞り込んで削減することを特徴とする請求項１８〜３１のいずれか一つに記載の画像形成方法。
【請求項３３】
請求項１８〜３２のいずれか一つに記載された方法をコンピュータに実行させるプログラム。
【発明の詳細な説明】
【技術分野】
【０００１】
本発明は、原稿を読み取った画像データや外部から入力された画像データを事前に解析して、原稿の属性を抽出し、属性に関連する設定項目のみを選択的に表示して印刷設定の決定を行うと共に、設定した印刷設定項目に基づいて画像データの加工や仕上げ処理を施して印刷出力する画像形成装置、画像形成システム、画像形成方法、その方法をコンピュータに実行させるプログラムに関するものである。
【背景技術】
【０００２】
従来より、原稿画像を読み取るスキャナ、スキャナで読み取った原稿画像を印刷する複写機、外部から入力された画像データを印刷するプリンタやファクシミリ装置、あるいは、これらの機能を兼ね備えた複合機などの画像形成装置が一般に用いられている。
【０００３】
この種の画像形成装置にあっては、原稿の種類や濃度といった原稿の状態に関する設定、拡大率／縮小率、片面／両面、あるいは余白サイズといった各種画像処理に関する設定、ソート、ステープル処理、あるいはパンチ穴あけといった仕上げ処理に関する設定など様々な機能に関する設定を行う必要がある。このため、ユーザは、印刷設定に関する非常に膨大なメニュー項目の中から所望の機能を探し出して、正確な設定入力を行わなければならなかった。
【０００４】
その原因としては、機器側で原稿内容に関する情報を事前に把握していないため、原稿によって設定する必要のない機能に関する選択肢までメニュー項目に存在することから、メニューが非常に複雑となり、ユーザの印刷設定に関する操作性が損なわれる結果となっていた。
【０００５】
そこで、コンタクトガラス上に原稿が載置され、原稿押えカバーが閉じると同時にプレスキャンが実行され、読み取った画像に基づいてカラー画像と白黒画像を判別したり、文字部と写真部とを判別することで原稿画像に応じた画像処理を自動的に分離処理できるようになり、操作性等の向上が図れる画像形成装置があった（特許文献１参照）。
【０００６】
また、原稿を走査して読み取った画像情報を記録情報に変換し、その記録情報に基づいて感光体上に光を投射して形成した静電潜像にトナーで現像し、転写材に転写して定着させる際、前記記録情報に基づいて転写材に転写されるトナー量を見積り、そのトナー量に基づいて定着条件を自動的に最適化することで、画質の向上を図るようにした画像形成装置があった（特許文献２参照）。
【０００７】
さらに、通常の画像形成のための設定を行う第１のモードと、それよりも省エネルギーで省資源による画像形成のための設定を行う第２のモードとを切り換え設定可能としたり、指定した資源量で画像形成可能な設定候補を複数表示させ、表示された候補の中から設定候補を選択して画像形成することにより、省エネルギー／省資源モードの機能がわかり易く表示され、設定動作も簡単に行える画像形成装置があった（特許文献３参照）。
【０００８】
また、ユーザが原稿の読み取り条件の設定を任意に行い、その内容を１つのグループとし、画像形成装置に表示される読み込み条件ボタンに対応させて記憶する。そして、事前に登録しておいた内容は、この読み込み条件ボタンを指定することで呼び出され、複数の設定項目が登録済みの設定値に自動更新することにより、原稿読み取り条件の設定が容易に行える画像形成装置があった（特許文献４参照）。
【０００９】
【特許文献１】特開平８−２７９８８４号公報
【特許文献２】特開平６−９０３３４号公報
【特許文献３】特開２００２−１８２５２９号公報
【特許文献４】特開２００１−２８５５３４号公報
【発明の開示】
【発明が解決しようとする課題】
【００１０】
しかしながら、このような背景技術にあっては、ユーザが印刷設定を行う際に、膨大なメニュー項目の中から所望の機能を探し出して、正確な設定入力を行わなければならないため、非常に手間がかかる上、作業効率が悪くなるという問題があった。
【００１１】
この傾向は、特に最近の画像形成装置のように、使用頻度の高いものから使用頻度の低いものまで非常に豊富な機能を有しているもの、あるいは、それらを組み合わせた複合機などでは、印刷設定に要する手間が深刻な問題となりつつある。
【００１２】
また、上記特許文献１では、原稿をプレスキャンして読み取った画像に基づいて画像の種類を判別し、その判別した画像に基づいて画像処理を自動的に分離処理することができるが、印刷設定画面に表示される設定項目に直接反映されないため、印刷設定作業の効率化が図れないという問題があった。
【００１３】
さらに、上記特許文献２では、原稿を走査して読み取った画像情報を記録情報に変換し、その記録情報に基づいて転写材に転写されるトナー量を見積り、そのトナー量に基づいて定着条件を自動的に最適化するものであり、読み取った画像情報は内部処理に利用されるが、印刷設定項目には反映されないため、印刷設定作業を効率化することができないという問題があった。
【００１４】
また、上記特許文献３では、通常の画像形成のための設定モードと、省エネルギーで省資源の画像形成のための設定モードとを切り換え設定可能とし、指定した資源量で画像形成可能な設定候補を複数表示して、その中から設定候補を選択して画像形成するようにしたもので、予め決められた設定モード機能をわかり易く表示するにすぎず、原稿画像に応じて必要な設定項目数に絞るなど、設定動作をより簡易化するものではないという問題があった。
【００１５】
また、上記特許文献４では、ユーザが原稿の読み取り条件の設定を任意に行い、その内容を１つのグループとして読み込み条件ボタンに対応させて記憶しておく。そして、読み込み条件ボタンを指定すると、それに対応した登録内容を呼び出して、複数の設定項目を登録済みの設定値に自動更新することができるが、読み込み条件ボタンの指定をユーザ自身が行うという点で通常の設定作業と変わりはなく、読み込み条件の設定が容易になったとしても、設定作業自体の効率化が図られたとは言えないという問題があった。
【００１６】
本発明は、上記に鑑みてなされたものであって、膨大なメニュー項目の中から設定に必要な簡素化されたメニューを提示することが可能となり、設定作業を適正かつ効率良く行える画像形成装置、画像形成システム、画像形成方法、その方法をコンピュータに実行させるプログラムを提供することを目的とする。
【課題を解決するための手段】
【００１７】
上述した課題を解決し、目的を達成するために、請求項１にかかる発明は、取得した原稿の画像データを解析して原稿の属性を抽出する画像解析手段と、入力された印刷設定を受け付ける設定手段と、取得した原稿の画像データを、前記設定手段によって受け付けた印刷設定に基づいて用紙に印刷する印刷手段と、を備え、前記設定手段は、前記印刷設定の受付けに先立って、取得した画像データを前記画像解析手段で解析して原稿の属性を抽出し、その属性に基づいて前記印刷設定の決定を行うことを特徴とする。
【００１８】
また、請求項２にかかる発明は、所定の読み取り位置にセットされた原稿を読み取る原稿読取手段と、読み取った原稿の画像データに対して画像処理を施す画像処理手段と、前記原稿読取手段で読み取った原稿の画像データを解析して原稿の属性を抽出する画像解析手段と、前記画像処理手段で画像処理された画像データを用紙に印刷する印刷手段と、印刷した印刷用紙に対して各種仕上げ処理を施す仕上げ処理手段と、画像データの画像処理および画像形成後の印刷用紙に対する仕上げ処理に関する印刷設定を受け付ける設定手段とを備え、前記設定手段は、さらに、前記印刷設定の受け付けに先立って、前記原稿読取手段により原稿を読み取り、前記画像解析手段で読み取った画像データを解析して原稿の属性を抽出し、その属性に基づいて印刷設定の決定を行うことを特徴とする。
【００１９】
また、請求項３にかかる発明は、前記画像データを少なくとも一時的に保持する画像記憶手段をさらに備えたことを特徴とする。
【００２０】
また、請求項４にかかる発明は、前記画像解析手段が抽出する属性は、原稿の画像の特徴に関する属性であることを特徴とする。
【００２１】
また、請求項５にかかる発明は、前記画像解析手段が抽出する属性は、原稿のレイアウトに関する属性であることを特徴とする。
【００２２】
また、請求項６にかかる発明は、個々の原稿の属性に関連した設定機能の一覧を登録した関連機能対応情報を記憶する記憶手段と、前記画像解析手段で解析して抽出した原稿の属性を利用して、前記関連機能対応情報に基づいて、関連機能を検索する関連機能検索手段と、をさらに備え、前記設定手段は、前記関連機能検索手段で検索された原稿の属性から導かれる関連した設定機能の選択肢のみを表示部に選択可能に表示することを特徴とする。
【００２３】
また、請求項７にかかる発明は、前記設定手段は、原稿の属性から導かれる関連した設定機能の選択肢を、前記表示部の印刷設定を行う既定のメニュー項目とは別の表示エリアに選択可能に表示することを特徴とする。
【００２４】
また、請求項８にかかる発明は、前記設定手段は、原稿の属性から導かれる関連した設定機能の選択肢を、印刷設定を行う既定のメニュー項目の上に重ねるポップアップメニューとして前記表示部に選択可能に表示することを特徴とする。
【００２５】
また、請求項９にかかる発明は、個々の原稿の属性に関連した設定機能の一覧を登録した関連機能対応情報を記憶する記憶手段と、前記画像解析手段で解析して抽出した原稿の属性を利用して、前記関連機能対応情報に基づいて、関連機能を検索する関連機能検索手段と、をさらに備え、前記設定手段は、前記関連機能検索手段で検索された原稿の属性から導かれる関連した設定機能の選択肢のみを、表示部に強調表示することを特徴とする。
【００２６】
また、請求項１０にかかる発明は、前記印刷設定の入力および各種画面の表示が可能な操作表示手段を更に備え、前記設定手段は、原稿の属性から導かれる関連した設定機能の選択肢を前記操作表示手段に表示し、前記操作表示手段から所望の選択肢の指定による印刷設定を受け付けることを特徴とする。
【００２７】
また、請求項１１にかかる発明は、前記原稿読取手段は、原稿トレイにセットされた複数ページの原稿を順次搬送しながら所定の読み取り位置に原稿をセットし、原稿の片面あるいは両面を連続して自動的に読み取れるようにした自動原稿搬送手段をさらに備え、複数の原稿の読み取りと解析とを連続的に行えるようにしたことを特徴とする。
【００２８】
また、請求項１２にかかる発明は、前記画像解析手段が抽出する属性は、原稿の自動搬送に関する属性であることを特徴とする。
【００２９】
また、請求項１３にかかる発明は、前記画像解析手段は、前記属性のうち、定量的な属性については、平均値、最大値、最小値の少なくとも一つを求めることを特徴とする。
【００３０】
また、請求項１４にかかる発明は、前記自動原稿搬送手段を備えた原稿読取手段を用いて複数の原稿を順次読み取り、前記画像解析手段は、抽出した原稿の属性のうち、定量的な属性については、平均値、最大値、最小値の少なくとも一つを求めるようにし、それらの値は原稿の読み取りと画像データの解析の進行に伴って逐次更新することを特徴とする。
【００３１】
また、請求項１５にかかる発明は、前記自動原稿搬送手段を備えた原稿読取手段を用いて複数の原稿を順次読み取り、前記画像解析手段は、前記属性を抽出している最中に印刷開始ボタンが押下された場合は、その時点で原稿の属性の解析処理を中断することを特徴とする。
【００３２】
また、請求項１６にかかる発明は、前記設定手段は、前記印刷設定の受付けに先立って、取得した画像データを前記画像解析手段で解析して原稿の属性を抽出し、その属性に基づいて前記印刷設定の項目数を絞り込んで削減することを特徴とする。
【００３３】
また、請求項１７にかかる発明は、所定の読み取り位置にセットされた原稿を読み取る原稿読取装置と、読み取った原稿の画像データに対して画像処理を施す画像処理装置と、前記原稿読取装置で読み取った原稿の画像データを解析して原稿の属性を抽出する画像解析装置と、前記画像処理装置で画像処理された画像データを用紙に印刷する印刷装置と、印刷した印刷用紙に対して各種仕上げ処理を施す仕上げ処理装置と、画像データの画像処理および画像形成後の印刷用紙に対する仕上げ処理に関する印刷設定を受け付ける設定装置と、を備え、前記各装置間の少なくとも一部がネットワークを介して接続され、前記設定装置は、さらに、各種印刷設定の受け付けに先立って、前記原稿読取装置により原稿を読み取り、前記画像解析装置で読み取った画像データを解析して原稿の属性を抽出し、その属性に基づいて印刷設定を決定することを特徴とする。
【００３４】
また、請求項１８にかかる発明は、取得した原稿の画像データを解析して原稿の属性を抽出する画像解析ステップと、入力された印刷設定を受け付ける設定ステップと、取得した原稿の画像データを、前記設定ステップによって受け付けた印刷設定に基づいて用紙に印刷する印刷ステップと、を含み、前記設定ステップは、前記印刷設定の受付けに先立って、取得した画像データを前記画像解析ステップで解析して原稿の属性を抽出し、その属性に基づいて前記印刷設定の決定を行うことを特徴とする。
【００３５】
また、請求項１９にかかる発明は、所定の読み取り位置にセットされた原稿を読み取る原稿読取ステップと、読み取った原稿の画像データに対して画像処理を施す画像処理ステップと、前記原稿読取ステップで読み取った原稿の画像データを解析して原稿の属性を抽出する画像解析ステップと、前記画像処理ステップで画像処理された画像データを用紙に印刷する印刷ステップと、印刷した印刷用紙に対して各種仕上げ処理を施す仕上げ処理ステップと、画像データの画像処理および画像形成後の印刷用紙に対する仕上げ処理に関する印刷設定を受け付ける設定ステップと、を含み、前記設定ステップは、さらに、前記印刷設定の受け付けに先立って、前記原稿読取ステップにより原稿を読み取り、前記画像解析ステップで読み取った画像データを解析して原稿の属性を抽出し、その属性に基づいて印刷設定の決定を行うことを特徴とする。
【００３６】
また、請求項２０にかかる発明は、前記画像解析ステップが抽出する属性は、原稿の画像の特徴に関する属性であることを特徴とする。
【００３７】
また、請求項２１にかかる発明は、前記画像解析ステップが抽出する属性は、原稿のレイアウトに関する属性であることを特徴とする。
【００３８】
また、請求項２２にかかる発明は、前記画像解析ステップで解析して抽出した原稿の属性を利用して、記憶手段に記憶された個々の原稿の属性に関連した設定機能の一覧を登録した関連機能対応情報に基づいて、関連機能を検索する関連機能検索ステップと、をさらに含み、前記設定ステップは、前記関連機能検索ステップで検索された原稿の属性から導かれる関連した設定機能の選択肢のみを表示部に選択可能に表示することを特徴とする。
【００３９】
また、請求項２３にかかる発明は、前記設定ステップは、原稿の属性から導かれる関連した設定機能の選択肢を、前記表示部の印刷設定を行う既定のメニュー項目とは別の表示エリアに選択可能に表示することを特徴とする。
【００４０】
また、請求項２４にかかる発明は、前記設定ステップは、原稿の属性から導かれる関連した設定機能の選択肢を、印刷設定を行う既定のメニュー項目の上に重ねるポップアップメニューとして前記表示部に選択可能に表示することを特徴とする。
【００４１】
また、請求項２５にかかる発明は、前記画像解析ステップで解析して抽出した原稿の属性を利用して、記憶手段に記憶された個々の原稿の属性に関連した設定機能の一覧を登録した関連機能対応情報に基づいて、関連機能を検索する関連機能検索ステップをさらに含み、前記設定ステップは、前記関連機能検索ステップで検索された原稿の属性から導かれる関連した設定機能の選択肢のみを、表示部に強調表示することを特徴とする。
【００４２】
また、請求項２６にかかる発明は、前記設定ステップは、原稿の属性から導かれる関連した設定機能の選択肢を操作表示手段に表示し、前記操作表示手段から所望の選択肢の指定による印刷設定を受け付けることを特徴とする。
【００４３】
また、請求項２７にかかる発明は、前記原稿読取ステップは、原稿トレイにセットされた複数ページの原稿を順次搬送しながら所定の読み取り位置に原稿をセットし、原稿の片面あるいは両面を連続して自動的に読み取れるようにした自動原稿搬送ステップをさらに含み、複数の原稿の読み取りと解析とを連続的に行えるようにしたことを特徴とする。
【００４４】
また、請求項２８にかかる発明は、前記画像解析ステップが抽出する属性は、原稿の自動搬送に関する属性であることを特徴とする。
【００４５】
また、請求項２９にかかる発明は、前記画像解析ステップは、前記属性のうち、定量的な属性については、平均値、最大値、最小値の少なくとも一つを求めることを特徴とする。
【００４６】
また、請求項３０にかかる発明は、前記自動原稿搬送ステップにおいて原稿読取ステップを用いて複数の原稿を順次読み取り、前記画像解析ステップは、抽出した原稿の属性のうち、定量的な属性については、平均値、最大値、最小値の少なくとも一つを求めるようにし、それらの値は原稿の読み取りと画像データの解析の進行に伴って逐次更新することを特徴とする。
【００４７】
また、請求項３１にかかる発明は、前記自動原稿搬送ステップにおいて原稿読取ステップを用いて複数の原稿を順次読み取り、前記画像解析ステップは、前記属性を抽出している最中に印刷開始ボタンが押下された場合は、その時点で原稿の属性の解析処理を中断することを特徴とする。
【００４８】
また、請求項３２にかかる発明は、前記設定ステップは、前記印刷設定の受付けに先立って、取得した画像データを前記画像解析ステップで解析して原稿の属性を抽出し、その属性に基づいて前記印刷設定の項目数を絞り込んで削減することを特徴とする。
【００４９】
また、請求項３３にかかる発明は、請求項１８〜３２のいずれか一つに記載された方法をコンピュータに実行させるプログラムである。
【発明の効果】
【００５０】
請求項１にかかる発明によれば、印刷設定の受付けに先立って、取得した画像データを前記画像解析手段で解析して原稿の属性を抽出し、その属性に基づいて前記印刷設定の決定を行い、その設定された印刷設定に基づいて取得した画像データを印刷手段により用紙に印刷するため、取得した画像データに応じて印刷設定が容易かつ適切に行えるようになるという効果を奏する。
【００５１】
また、請求項２にかかる発明によれば、印刷設定の受け付けに先立って、前記原稿読取手段により原稿を読み取り、前記画像解析手段で読み取った画像データを解析して原稿の属性を抽出し、その属性に基づいて印刷設定の決定を行い、その設定された印刷設定に基づいて取得した画像データに画像処理を施して印刷手段により用紙に印刷し、印刷後の用紙に対して仕上げ処理を施すようにしたため、読み取る原稿の画像データに応じて印刷設定が容易かつ適切に行えるようになるという効果を奏する。
【００５２】
また、請求項３にかかる発明によれば、画像データを少なくとも一時的に保持する画像記憶手段をさらに備えているため、取得した画像データや読み取り位置にセットされた原稿の画像データを一時的に画像記憶手段に保持させておき、これを読み出して画像解析手段で解析を行うことで原稿の属性を抽出したり、画像データに画像処理を施すことが容易かつ自由に行えるようになるという効果を奏する。
【００５３】
また、請求項４にかかる発明によれば、画像解析手段が抽出する属性は、原稿の画像の特徴に関する属性であるため、原稿の画像に関する印刷設定メニューを必要な項目に絞って表示することが可能となり、ユーザによる印刷設定が容易かつ適切に行えるようになるという効果を奏する。
【００５４】
また、請求項５にかかる発明によれば、画像解析手段が抽出する属性は、原稿のレイアウトに関する属性であるため、原稿のレイアウトに関する印刷設定メニューを必要な項目に絞って表示することが可能となり、ユーザによる印刷設定が容易かつ適切に行えるようになるという効果を奏する。
【００５５】
また、請求項６にかかる発明によれば、画像解析手段で解析して抽出した原稿の属性を利用して、前記関連機能対応情報に基づいて、関連機能を検索し、関連機能検索手段で検索された原稿の属性から導かれる関連した設定機能の選択肢のみを表示部に選択可能に表示するため、原稿の画像に応じた関連機能に絞り込んだ印刷設定メニューを作成することが可能となり、印刷設定が容易に行えるように支援することができるという効果を奏する。
【００５６】
また、請求項７にかかる発明によれば、設定手段は、原稿の属性から導かれる関連した設定機能の選択肢を、前記表示部の印刷設定を行う既定のメニュー項目とは別の表示エリアに選択可能に表示するため、原稿に関連する項目に絞り込んだ簡易メニューと既定メニューとを同時に見ることが可能となり、ユーザの熟練度に応じて両方のメニューを使い分けることができる。特に、熟練者にとっては、簡易メニューの存在を邪魔に感じることがなくなるという効果を奏する。
【００５７】
また、請求項８にかかる発明によれば、設定手段は、原稿の属性から導かれる関連した設定機能の選択肢を、印刷設定を行う既定のメニュー項目の上に重ねるポップアップメニューとして前記表示部に選択可能に表示するため、既定メニューを選択する際に簡易メニューがポップアップして絞り込んだ選択肢から選べるので、初心者でも容易かつ適切に印刷設定が行えるという効果を奏する。
【００５８】
また、請求項９にかかる発明によれば、画像解析手段で解析して抽出した原稿の属性を利用して、前記関連機能対応情報に基づいて、関連機能を検索し、検索された原稿の属性から導かれる関連した設定機能の選択肢のみを、表示部に強調表示するため、既定のメニューのままで原稿の画像に応じて関連機能に絞り込んだ印刷設定メニューを作成することができ、印刷設定が容易に行えるように支援することができるという効果を奏する。
【００５９】
また、請求項１０にかかる発明によれば、設定手段は、原稿の属性から導かれる関連した設定機能の選択肢を前記操作表示手段に表示し、前記操作表示手段から所望の選択肢の指定による印刷設定を受け付けるため、直接画面を見ながら容易に設定操作を行うことができるという効果を奏する。
【００６０】
また、請求項１１にかかる発明によれば、原稿トレイにセットされた複数ページの原稿を順次搬送しながら所定の読み取り位置に原稿をセットし、原稿の片面あるいは両面を連続して自動的に読み取れるようにした自動原稿搬送手段をさらに備え、複数の原稿の読み取りと解析とを連続的に行えるようにしたため、複数ページから得られる原稿特性値を活用することができ、より適切な印刷設定支援と迅速な処理が可能になるという効果を奏する。
【００６１】
また、請求項１２にかかる発明によれば、画像解析手段が抽出する属性は、原稿の自動搬送に関する属性であるため、原稿の自動搬送に関する印刷設定メニューを必要な項目に絞って表示することが可能となり、ユーザによる印刷設定が容易かつ適切に行えるようになるという効果を奏する。
【００６２】
また、請求項１３にかかる発明によれば、画像解析手段は、前記属性のうち、定量的な属性については、平均値、最大値、最小値の少なくとも一つを求めるため、原稿の特徴を表す様々な特性値を利用し、必要な機能を適切に絞り込むことができるという効果を奏する。
【００６３】
また、請求項１４にかかる発明によれば、自動原稿搬送手段を備えた原稿読取手段を用いて複数の原稿を順次読み取り、前記画像解析手段は、抽出した原稿の属性のうち、定量的な属性については、平均値、最大値、最小値の少なくとも一つを求めるようにし、それらの値は原稿の読み取りと画像データの解析の進行に伴って逐次更新するため、自動原稿搬送機能付き原稿読取手段の場合に得られる複数ページに渡る特性値を利用することで、必要な機能をより適切に絞り込むことができるという効果を奏する。
【００６４】
また、請求項１５にかかる発明によれば、自動原稿搬送手段を備えた原稿読取手段を用いて複数の原稿を順次読み取り、前記画像解析手段は、前記属性を抽出している最中に印刷開始ボタンが押下された場合は、その時点で原稿の属性の解析処理を中断するため、印刷時に必要となる画像処理能力の低下を防止することができるという効果を奏する。
【００６５】
また、請求項１６にかかる発明によれば、設定手段は、前記印刷設定の受付けに先立って、取得した画像データを前記画像解析手段で解析して原稿の属性を抽出し、その属性に基づいて前記印刷設定の項目数を絞り込んで削減するため、取得した画像データに応じて印刷設定が容易かつ適切に行え、印刷設定の支援が可能となるという効果を奏する。
【００６６】
また、請求項１７にかかる発明によれば、印刷設定の受け付けに先立って、原稿読取装置の読み取り位置にセットされた原稿を読み取り、読み取った原稿の画像データを画像解析装置で解析して原稿の属性を抽出し、その抽出された属性に基づいて設定装置を使った印刷設定の決定が行われる。画像処理装置では、設定された印刷設定内容に基づいて画像データに画像処理が施され、印刷装置によって用紙に印刷されると共に、印刷後の用紙に対して仕上げ処理が施される。これらの装置間の少なくとも一部がネットワークを介して接続されていて、画像データや属性をやり取りすることができる。このため、読み取った原稿の画像データに応じて、設定装置による印刷設定を容易かつ適切に行うことができるという効果を奏する。
【００６７】
また、請求項１８にかかる発明によれば、印刷設定の受付けに先立って、取得した画像データを前記画像解析ステップで解析して原稿の属性を抽出し、その属性に基づいて前記印刷設定の決定を行い、その設定された印刷設定に基づいて取得した画像データを印刷ステップにより用紙に印刷するため、取得した画像データに応じて印刷設定が容易かつ適切に行えるようになるという効果を奏する。
【００６８】
また、請求項１９にかかる発明によれば、印刷設定の受け付けに先立って、前記原稿読取ステップにより原稿を読み取り、前記画像解析ステップで読み取った画像データを解析して原稿の属性を抽出し、その属性に基づいて印刷設定の決定を行い、その設定された印刷設定に基づいて取得した画像データに画像処理を施して印刷ステップにより用紙に印刷し、印刷後の用紙に対して仕上げ処理ステップで仕上げ処理を施すようにしたため、読み取る原稿の画像データに応じて印刷設定動作が容易かつ適切に行えるようになるという効果を奏する。
【００６９】
また、請求項２０にかかる発明によれば、画像解析ステップが抽出する属性は、原稿の画像の特徴に関する属性であるため、原稿の画像に関する印刷設定メニューを必要な項目に絞って表示することが可能となり、ユーザによる印刷設定が容易かつ適切に行えるようになるという効果を奏する。
【００７０】
また、請求項２１にかかる発明によれば、画像解析ステップが抽出する属性は、原稿の画像の特徴に関する属性であるため、原稿のレイアウトに関する印刷設定メニューを必要な項目に絞って表示することが可能となり、ユーザによる印刷設定が容易かつ適切に行えるようになるという効果を奏する。
【００７１】
また、請求項２２にかかる発明によれば、画像解析ステップで解析して抽出した原稿の属性を利用して、記憶手段に記憶された個々の原稿の属性に関連した設定機能の一覧を登録した関連機能対応情報に基づいて、関連機能を検索し、検索された原稿の属性から導かれる関連した設定機能の選択肢のみを表示部に選択可能に表示するため、原稿の画像に応じた関連機能に絞り込んだ印刷設定メニューが作成できるようになり、印刷設定が容易に行えるよう支援することができるという効果を奏する。
【００７２】
また、請求項２３にかかる発明によれば、設定ステップは、原稿の属性から導かれる関連した設定機能の選択肢を、前記表示部の印刷設定を行う既定のメニュー項目とは別の表示エリアに選択可能に表示するため、原稿に関連する項目に絞り込んだ簡易メニューと既定メニューとを同時に見ることが可能となり、ユーザの熟練度に応じて両方のメニューを使い分けることができる。特に、熟練者にとっては、簡易メニューの存在が邪魔にならないという効果を奏する。
【００７３】
また、請求項２４にかかる発明によれば、設定ステップは、原稿の属性から導かれる関連した設定機能の選択肢を、印刷設定を行う既定のメニュー項目の上に重ねるポップアップメニューとして前記表示部に選択可能に表示するため、既定メニューを選択する際に簡易メニューがポップアップし絞り込んだ選択肢から選べるので、初心者でも容易かつ適切に印刷設定が行えるという効果を奏する。
【００７４】
また、請求項２５にかかる発明によれば、画像解析ステップで解析して抽出した原稿の属性を利用して、記憶手段に記憶された個々の原稿の属性に関連した設定機能の一覧を登録した関連機能対応情報に基づいて、関連機能を検索し、検索された原稿の属性から導かれる関連した設定機能の選択肢のみを、表示部に強調表示するため、既定のメニューのままで原稿の画像に応じて関連機能に絞り込んだ印刷設定メニューを作成することができ、印刷設定が容易に行えるように支援することができるという効果を奏する。
【００７５】
また、請求項２６にかかる発明によれば、設定ステップは、原稿の属性から導かれる関連した設定機能の選択肢を操作表示手段に表示し、前記操作表示手段から所望の選択肢の指定による印刷設定を受け付けるため、直接画面を見ながら容易に設定操作を行うことができるという効果を奏する。
【００７６】
また、請求項２７にかかる発明によれば、原稿読取ステップは、原稿トレイにセットされた複数ページの原稿を順次搬送しながら所定の読み取り位置に原稿をセットし、原稿の片面あるいは両面を連続して自動的に読み取れるようにした自動原稿搬送ステップをさらに含み、複数の原稿の読み取りと解析とを連続的に行えるようにしたため、複数ページから得られる原稿特性値を活用することができ、より適切な印刷設定支援と迅速な処理が可能となるという効果を奏する。
【００７７】
また、請求項２８にかかる発明によれば、画像解析ステップが抽出する属性は、原稿の自動搬送に関する属性であるため、原稿の自動搬送に関する印刷設定メニューを必要な項目に絞って表示することが可能となり、ユーザによる印刷設定が容易かつ適切に行えるようになるという効果を奏する。
【００７８】
また、請求項２９にかかる発明によれば、画像解析ステップは、前記属性のうち、定量的な属性については、平均値、最大値、最小値の少なくとも一つを求めるため、原稿の特徴を表す様々な特性値を利用し、必要な機能を適切に絞り込むことができるという効果を奏する。
【００７９】
また、請求項３０にかかる発明によれば、自動原稿搬送ステップにおいて原稿読取ステップを用いて複数の原稿を順次読み取り、前記画像解析ステップは、抽出した原稿の属性のうち、定量的な属性については、平均値、最大値、最小値の少なくとも一つを求めるようにし、それらの値は原稿の読み取りと画像データの解析の進行に伴って逐次更新するため、複数ページに渡る原稿の特性値が容易に利用可能となり、必要な機能をより適切に絞り込むことができるという効果を奏する。
【００８０】
また、請求項３１にかかる発明によれば、自動原稿搬送ステップにおいて原稿読取ステップを用いて複数の原稿を順次読み取り、前記画像解析ステップは、前記属性を抽出している最中に印刷開始ボタンが押下された場合は、その時点で原稿の属性の解析処理を中断するようにしたため、印刷時に必要となる画像処理能力の低下を防止することができるという効果を奏する。
【００８１】
また、請求項３２にかかる発明によれば、設定ステップは、前記印刷設定の受付けに先立って、取得した画像データを前記画像解析手段で解析して原稿の属性を抽出し、その属性に基づいて前記印刷設定の項目数を絞り込んで削減するため、取得した画像データに応じて印刷設定が容易かつ適切に行え、印刷設定の支援が可能となるという効果を奏する。
【００８２】
また、請求項３３にかかる発明によれば、請求項１８〜３２のいずれか一つに記載された方法をコンピュータに実行させることができるという効果を奏する。
【発明を実施するための最良の形態】
【００８３】
以下に、本発明にかかる画像形成装置、画像処理システム、画像形成方法、その方法をコンピュータに実行させるプログラムの最良な実施の形態を図面に基づいて詳細に説明する。なお、この実施の形態によりこの発明が限定されるものではない。
【００８４】
[第１の実施の形態]
図１は、本発明の画像形成装置の概略構成を説明するブロック図である。本発明の特徴は、画像形成装置におけるユーザの印刷設定動作に先立って原稿の読み取り（プレスキャン)が行われる。これは、読み取った原稿の画像データを解析して原稿の属性を抽出し、その属性に関連した機能を検索するようにする。検索した関連機能は、当該原稿の画像形成の印刷設定に必要なメニュー項目の絞り込みを行うのに利用され、絞り込んだメニュー項目をユーザインタフェースである操作パネル上に表示することで、印刷設定の支援を行うものである。ここでは、画像形成装置として、スキャナ、複写機、プリンタなどの機能を具備する複合機（ＭＦＰ機）を用いて実施したものである。
【００８５】
図１に示す画像形成装置１０は、原稿読取手段としての原稿読取部１１、その原稿読取部１１を構成するスキャナ１１１およびスキャナコントローラ１１２、自動原稿搬送手段としてのＡＤＦ（オート・ドキュメント・フィーダ）１１３、画像記憶手段としての画像記憶部１２、画像処理手段としての画像処理部１３、印刷手段としての印刷部１４、その印刷部１４を構成するプリンタ１４１およびプリンタコントローラ１４２、仕上げ処理手段としての仕上げ処理部１４３、画像解析手段としての画像解析部１５、関連機能検索手段としての関連機能検索部１６、関連機能検索部１６が参照する関連機能対応表が格納された関連機能ＤＢ１６１、ユーザが画像形成装置を操作したり印刷設定などの入力を行う操作パネル１８、操作パネル１８の制御を行うとともに、操作パネル１８から入力された印刷設定をイベント等により受け付ける操作パネル制御部１７（設定手段）、操作パネル１８を構成する表示部１８１および入力部１８２、装置全体を制御するシステム制御部１９、および通信制御部２０などによって構成されている。また、画像形成装置１０は、通信制御部２０を介してネットワーク２１と接続されている。そして、画像形成装置１０は、原稿２２の画像を読み取って画像処理を施した後、印刷物２３として出力される。
【００８６】
原稿読取部１１は、スキャナ１１１によって所定の読み取り位置にセットされた原稿２１のイメージを読み取ってディジタル画像データに変換するもので、それらの動作制御はスキャナコントローラ１１２が行っている。なお、この原稿読取部１１では、複数ページの原稿をセットすると、読み取り位置に１枚ずつ順に繰り出しながら連続して自動的に読み込みが行えるＡＤＦ１１３が搭載されている。また、このＡＤＦ１１３は、用紙の片面に印刷された片面原稿だけでなく、両面に印刷された両面原稿を搬送途中に反転させることにより両面を自動的に読み込むことができる反転機能も備えている。
【００８７】
画像記憶部１２は、原稿読取部１１で読み取った画像データや外部から入力された画像データ等を一時的に保存しておくバッファメモリである。
【００８８】
画像処理部１３は、スキャナ１１１で読み取られ画像記憶部１２に一時保存された多値データをγ補正やＭＴＦ補正等を行った後、スライス処理やディザ処理のような階調処理を行って２値（または多値）化処理したり、ユーザが操作パネル１８を使って設定した各種印刷機能に対応した画像処理（拡大／縮小、濃度／色の調整など）やレイアウト加工処理（両面印刷／片面印刷、集約印刷、余白サイズの調整など）を行うものである。
【００８９】
印刷部１４は、ここでは画像処理部１３で処理された画像データに基づいて、例えば光ビームを偏向走査させ、感光体上に形成した静電潜像にトナーを使って現像し、生成されたトナー画像を転写紙に転写して、定着処理を行う電子写真技術を用いたプリンタ１４１とそのプリンタを制御するプリンタコントローラ１４２とにより構成されている。なお、この印刷部１４には、ユーザによる印刷設定に基づいて、印刷された印刷物２３を部数やページ単位で仕分けするソート処理、複数枚の印刷物２３を揃えてステープルで綴じるステープル処理、あるいは、複数枚の印刷物２３をバインダーやファイルに綴じるためのパンチ穴を空けるパンチ穴処理といった仕上げ処理を行う仕上げ処理部１４３がさらに搭載されている。
【００９０】
画像解析部１５は、画像記憶部１２内に記憶された画像データに対して光学式文字認識を行うＯＣＲ（オプティカル・キャラクタ・レコグニッション）処理を実施し、原稿画像の様々な属性を抽出するものである。この原稿画像の属性の抽出は、具体的には、属性ごとに対応して数値化された原稿の特性値を算出することによって行われる。ここで、原稿属性とは、原稿の画像関係、レイアウト関係、ＡＤＦ（自動原稿搬送）関係に関する性質を示すものである。例えば、画像関係の原稿属性としては、画像種類（文字、写真、イラストあるいはそれらの混合）、使用色（原稿で使用している色情報であり、モノクロ／カラーの区別）、原稿濃度、画素密度（原稿全体における有画素部分の面積比率）、使用文字サイズなどがあり、これらの原稿属性の特性値は、それぞれの属性に対応して数値化したデータである。また、レイアウト関係の原稿属性としては、原稿方向（原稿の上下左右の位置関係情報）、原稿サイズ、上下左右の余白寸法、レイアウト情報（段組み原稿か否か）などがあり、これらの原稿属性の特性値は、それぞれの属性に対応して数値化したデータである。さらに、ＡＤＦ関係の原稿属性としては、原稿のページ数、原稿面（両面原稿／片面原稿の区別）などがあり、これらの原稿属性の特性値は、それぞれの属性に対応して数値化したデータである。なお、これらの特性値のうち、定量的な値に関しては、平均値や最大値、最小値といった統計的な値も併せて算出して、利用することが可能である。なお、本実施の形態では、原稿の属性を抽出する具体的な手法として属性に対応した特性値を算出する手法を採用しているが、これに限定されるものではなく、原稿の属性を抽出することができるものであれば、特性値以外のもの、例えば、文字列または文字列と数値の組み合わせによる特性情報等を利用することができる。以下の実施の形態では、原稿の属性を抽出することと、原稿の属性の特性値を算出することと同義とする。
【００９１】
関連機能検索部１６は、画像解析部１５で算出された各種の原稿特性値（原稿の属性）が入力されると、当該原稿を複写（画像データを印刷）する際に必要な印刷設定のメニュー項目を絞り込むため、各種特性値（原稿の属性）に関連する機能を検索するものである。この関連機能検索部１６は、個々の原稿特性値（原稿の属性）に関連した機能が対応付けられた関連機能対応表を格納する関連機能ＤＢ１６１と接続されている。このため、関連機能検索部１６が関連機能ＤＢ１６１を使って、入力される原稿特性値（原稿の属性）に対応した関連機能を検索することにより、操作パネル制御部１７が操作パネル１８を介して当該原稿の印刷設定メニューを表示する際に、原稿に応じたメニュー項目に絞り込むことが可能となる。
【００９２】
操作パネル１８は、ユーザが画像形成装置１０を操作する際のユーザインタフェースであり、操作情報等が表示される表示部１８１と、操作や設定入力を行うための入力部１８２などを備えている。この操作パネル１８を使って印刷設定を行う場合は、この画像形成装置１０で実行したい機能をメニュー項目として表示部１８１上の設定画面に表示させ、当該メニュー項目の中からユーザが任意に選択して設定するものである。メニュー項目を選択する入力部１８２としては、ここでは表示部１８１の表面に装着され、表示内容に直接タッチして入力することができるタッチパネルを採用しているが、別に設けられたキーボードなどを使って入力しても勿論良い。印刷設定の具体例としては、例えば、原稿の状態に応じた原稿読取部１１における読み取り条件の設定（ＡＤＦの搬送条件も含まれる）、読み取った画像データを加工する画像処理部１３における設定、印刷部１４における印刷条件の設定、あるいは、印刷後の印刷物に対してソート、ステープル、パンチ穴などの仕上げ処理を行う仕上げ処理部１４３の設定などを行うことができる。
【００９３】
システム制御部１９は、各構成部と接続されていて、画像形成装置１０全体を制御するものである。このシステム制御部１９は、ＣＰＵ、ＲＯＭ、ＲＡＭなどから構成されており、ＣＰＵがＲＯＭなどに格納されている基本プログラムに基づいて、ＲＡＭのワーク領域を利用しながら各種処理が実行される。
【００９４】
通信制御部２０は、ＬＡＮ（ローカル・エリア・ネットワーク）やインターネットなどのネットワーク２１と接続され、通信プロトコルに従ってネットワークに接続された他の機器との間で画像データや制御データ等のやり取りするものである。
【００９５】
本第１の実施の形態の画像形成装置１０は、上記のように構成されており、次に動作について説明する。ユーザは、図１に示す原稿２２を複写する際に、印刷設定を行って所望の画像加工や仕上げ処理を行うようにする。まず、複写したい原稿２２を原稿読取部１１の原稿台（読み取り位置）に載せてスキャナ１１１で読み取り、その画像データを画像記憶部１２に一時記憶させる。画像解析部１５は、画像記憶部１２の画像データを解析して原稿の属性を表す特性値を抽出する。関連機能検索部１６は、抽出された特性値に基づいて、関連機能ＤＢ１６１に格納された関連機能対応表を参照しながら個々の特性値に対応した機能を検索する。
【００９６】
操作パネル制御部１７は、操作パネル１８から入力された印刷設定をイベント等により受け付ける。また、操作パネル制御部１７は、操作パネル１８の表示部１８１に印刷設定用のメニューを表示する際に、全ての項目が網羅された既定メニューの中から当該原稿に関連するメニュー項目のみに絞ってメニュー項目を決定し、決定したメニュー項目のみを表示部１８に表示させる。これにより、ユーザは、当該原稿に関連する絞り込まれたメニュー項目のみを見て設定を行えばよいため、関係のない選択肢について考慮したり、関係のない選択肢を誤って選択することがなくなり、印刷設定を短時間で容易かつ適切に行えるように支援することができる。このようにして、操作パネルの入力部１８２から印刷設定が行われると、設定内容に基づいて画像処理部１３で画像データが加工され、印刷部１４で印刷処理される。また、ステープルやパンチ穴等の仕上げ処理に関する設定が行われた場合は、印刷された印刷物２３を束ねて仕上げ処理部１４３でステープル処理やパンチ穴開け処理が行われて、トレイに排出される。
【００９７】
このように、第１の実施の形態によれば、ユーザの印刷設定に先立って、読み取った原稿の画像データから原稿の属性を抽出し、その属性に関連する機能を検索して印刷設定のメニュー項目を絞り込むことで、ユーザによる印刷設定をより容易かつ適切に行えるように支援することができる。
【００９８】
なお、本発明の効果である印刷設定を支援するという意味は、印刷設定のメニュー項目を決定する意味であり、例えば、印刷設定のメニュー項目を絞り込んでメニュー項目数を削減することで設定を容易にすること等があげられる。ただし、必ずしもこれに限定する趣旨ではなく、メニュー項目によっては抽出した特性値（原稿の属性）に応じて他に選ぶべき選択肢がなくなった場合、選択肢が自動的に決まるため、その結果として自動設定が行われたのと同一視できる場合がある。自動的に決定されたメニュー項目を表示するか否かは、別に考えればよいが、選択肢が自動的に決まる場合でも印刷設定時の選択肢が少なくなるという意味で印刷設定を支援しているということができる。以下の実施の形態の場合も同様である。
【００９９】
[第２の実施の形態]
上記第１の実施の形態では、図１に示すように、画像形成装置１０内で全ての処理が行われるが、本発明は必ずしもこれに限定されない。本第２の実施の形態の特徴は、図１と同様な画像形成装置や原稿読み取り機能を持ったスキャナ、印刷機能を持ったプリンタ等がネットワークを介して当該画像形成装置１０と接続され、個々に処理された画像データや特性値（原稿の属性）に基づいて印刷設定や印刷処理を別の場所で行うように構成したもので、本発明を画像形成システムとして捉えることができる。
【０１００】
図２は、第２の実施の形態にかかる画像形成システムの概略構成を説明するネットワーク構成図である。図２に示す画像形成システムは、インターネットなどのネットワーク２１を介して、上記図１に示した画像形成装置１０が接続されていると共に、原稿等の画像を読み取ることができるスキャナなどの原稿読取装置１１４、印刷機能を持った印刷装置１４４、スキャナで読み取った画像データを印刷用に加工する画像処理装置１３１などが接続されて構成されている。上記したように、画像形成装置１０は単独でも本発明の処理を実行することが可能であるが、別の原稿読取装置１１４で読み取った原稿の画像データをネットワーク２１を経由して画像形成装置１０に送り（図１参照）、画像データを一旦画像記憶部１２に記憶させ、画像解析部１５で原稿の属性を抽出し（属性の特性値を算出し）、この属性（特性値）に関連した機能を関連機能検索部１６で検索し、その検索結果を操作パネル制御部１７に渡すことで、操作パネル１８に表示されるメニュー項目を原稿の画像データに応じて絞り込むことが可能となる。
【０１０１】
また、図２の画像形成装置１０で設定した印刷設定情報と画像データとをネットワーク２１を経由して画像処理装置１３１に送り、ここで画像データを加工し、さらに、その加工データをネットワーク２１を経由して印刷装置１４４に送って印刷処理したり仕上げ処理を行うようにしても良い。
【０１０２】
このように、第２の実施の形態によれば、第１の実施の形態の画像形成装置の処理機能をネットワークを介して接続された装置間で分担して処理することも可能であり、第１の実施の形態と同様に、原稿の画像データに応じて印刷設定のメニュー項目を絞り込むことでユーザによる印刷設定を支援することが可能となる。
【０１０３】
[第３の実施の形態]
図３は、画像解析部で抽出された原稿特性値（原稿の属性）と関連付けられた設定項目例を示す関連機能ＤＢの関連機能対応表を示した図である。図３に示すように、画像関係の属性は、例えば使用色、種類、濃度、文字サイズなどがあり、特性値は、これらの属性を数値化したものである。使用色は、原稿で使用されている色の情報であって。カラー原稿の場合にのみ、色の調整や編集に関連するメニュー提示し、モノクロ原稿の場合にはこれらのメニューを提示しないようにする。種類は、原稿のコンテンツの種類を意味し、文字のみの原稿／写真のみの原稿／文字と写真が混在する原稿のそれぞれの場合において、適切なコントラストをデフォルト値として設定する。濃度は、原稿のコンテンツの（平均的な）濃度であり、適切な濃度に仕上がるような値をデフォルト値として設定する。また、文字サイズは、原稿で使用されている（平均的な）文字サイズであり、これが一定値以下の場合は縮小印刷や集約印刷に関するメニューを提示しないようにする。
【０１０４】
また、図３に示すレイアウト関係の属性については、例えば、原稿サイズ、原稿方向、段組形式、余白サイズなどがあり、特性値はこれらの属性を数値化したものである。原稿サイズは、原稿の用紙サイズであり、この値と、その時点で設定されている拡大／縮小の割合から導き出される用紙サイズをデフォルト値として設定する。原稿方向は、原稿のコンテンツの向きであり、これに応じて適切な原稿セット方向をデフォルト値として設定する（この情報は、余白調整、およびステープルやパンチ穴の指定時の上・下・左・右の解釈や、両面原稿の開き方向の解釈などに利用される）。段組形式は、原稿の段組に関するレイアウト情報であり、２段組原稿のように、中央をステープル処理するにふさわしい原稿である場合にのみ、ステープル位置の候補に「中綴じ」が加わる。余白サイズは、原稿の上下左右に設けられている余白の寸法であり、余白が不適切な場合には余白調整に関するメニューを提示する。また、特に上部／左部の余白が小さすぎる場合は、その場所へのステープル処理やパンチ穴あけ処理に関するメニューを提示しないようにする。
【０１０５】
さらに、図３に示すＡＤＦ関係の属性については、例えば、原稿面、ページ数などがあり、特性値はこれらの属性を数値化したものである。原稿面は、片面にのみコンテンツが印字されたものであるか、両面共に印字されたものであるかを表す値であり、片面原稿である場合には、「両面原稿」の設定メニューを提示しないようにし、両面原稿である場合には「両面原稿」をデフォルト値として設定する。ページ数は、原稿の枚数であり、１ページのみの原稿の場合には、「ステープル」「ソート」「スタック」などのメニューを提示しないようにする。
【０１０６】
本第３の実施の形態では、ＡＤＦ機能を持たない原稿読取部１１を用いて１枚ずつ原稿を読み取るようにし、読み取った画像データに基づいて画像解析部１５で種々の特性値や統計情報を算出し、その特性値に対応した関連機能を図３に例示した関連機能ＤＢ１６１の関連機能対応表を参照しながら関連機能検索部１６で検索を行い、得られた関連機能により絞り込んだ印刷設定用のメニュー項目のみを操作パネル１８の表示部１８１に提示して、印刷設定を行い、操作パネル制御部１７によって印刷設定を受け付けるようにする。以下、この第３の実施の形態の動作について図１、図３、図４−１、図４−２、図５−１、図５−２、および図９を用いて説明する。
【０１０７】
図４−１は、画像濃度のやや薄い原稿イメージ例を示した図であり、図４−２は、図４−１の原稿に基づいて絞り込まれた印刷設定用の簡易メニュー例を示した図であり、図５−１は、適切な画像濃度で２段組みで構成された原稿イメージ例を示した図であり、図５−２は、図５−１の原稿に基づいて絞り込まれた印刷設定用の簡易メニュー例を示した図であり、図９は、第３の実施の形態の動作を説明するフローチャートである。
【０１０８】
まず、原稿読取部１１のスキャナ１１１の読み取り位置に１枚目の原稿をセットした後（ステップＳ１００）、操作パネル１８上に配置した図示省略の複写開始ボタンか読取開始ボタンのいずれが押下されたかをシステム制御部１９が監視する（ステップＳ１０１）。
【０１０９】
ここで、ユーザが操作パネルを使って各種印刷設定を行って、操作パネル制御部１７によって操作パネル１８から入力された印刷設定を受け付けた後、操作パネル１８上で複写開始ボタンが押下された場合は、従来の複合機や複写機の動作と同じになるため、ここではその動作説明は省略する。
【０１１０】
ステップＳ１０１において、読取開始ボタンが押下された場合は、直ちに印刷処理は行われず、原稿読み取り処理のみが実行される（ステップＳ１０２）。ここで読み取られた原稿の画像データは、画像記憶部１２に一旦保存された後（ステップＳ１０３）、画像解析部１５において画像データに対しＯＣＲ処理が実行されて、原稿の各種特性値が算出される（ステップＳ１０４）。この画像解析部１５では、ＯＣＲ処理を実行するため、様々なテクニックを利用して原稿特性値を算出している。例えば、画像領域を分割することによって、上下左右の余白寸法やレイアウトに関する特性値を算出する。また、文字方向を特定することによって、原稿方向に関する特性値を算出する。さらに、文字を分割することにより、文字サイズの特性値を算出する。また、画素ピクセルを解析することにより、使用色、原稿濃度、あるいは画素密度といった特性値を算出することができる。そして、これらの特性値のうち、上下左右の余白寸法や文字サイズ、原稿濃度、画素密度といった定量的に測定可能な値については、平均値や最大値、最小値といった統計情報を算出することにより、必要な機能を適切に絞り込むことができる。なお、算出される特性値の種類としては、図３に示すように、画像関係、レイアウト関係、ＡＤＦ関係の３つに大きく分類することができ、各分類の中身はさらに細分化されている。
【０１１１】
関連機能検索部１６は、画像解析部１５で算出された原稿特性値を図３に示す関連機能ＤＢ１６１の関連機能対応表と照合することにより、当該原稿２２を複写する際に必要な関連機能を検索することができる（ステップＳ１０５）。
【０１１２】
ここで、関連機能検索部１６の具体的な動作例について説明する。最近の画像形成装置には、非常に多くの機能が搭載されているが、本発明のように処理対象の原稿の特性が特定できた時点で、（１）設定が自動化できる機能と、（２）設定が必要な機能と、（３）設定すべきでない機能（設定が不必要な機能、設定が不適切な機能）とに分類することができる。
【０１１３】
例えば、上記（１）の設定が自動化できる機能例としては、原稿方向が特定できれば、原稿の方向をユーザが指定する必要がなくなり、また、原稿面が特定できれば、片面原稿か両面原稿かをユーザが指定する必要がなくなるため、設定を自動化することが可能になる。
【０１１４】
次に、上記（２）の設定が必要になる機能としては、原稿濃度が標準値から大きく外れたような場合であり、ユーザによる濃度調整が必要となるため、関連機能として抽出する必要がある。
【０１１５】
次に、上記（３）の設定すべきでない機能としては、原稿がモノクロ原稿の場合に、色設定に関する機能は不必要である。また、原稿が段組されていない全面原稿の場合には、中綴じステープル機能（中央部分をステープルで閉じて２つ折りにして、週刊誌のような冊子に仕上げる機能）の設定は不適切である。さらに、文字サイズが極端に小さい場合には、それよりもさらに文字サイズを小さくする縮小印刷機能は不適切である。また、余白部分が極端に少ない原稿の場合は、余白部分にステープル処理やパンチ穴あけ処理を行うことができないため、ステープル処理やパンチ穴あけ処理の機能は不適切である。このため、これらの機能については、関連機能として抽出しないようにする。
【０１１６】
そして、図３に示す関連機能対応表には、原稿の属性である特性項目毎に、その特性値（定量的な値の場合の場合にはその範囲）とその条件が満たされた場合に関連する機能の対応関係が記述されており、関連機能検索部１６は、画像解析部１５で得られた各種の原稿の属性の特性値をこの関連機能対応表に照合することにより、当該原稿を複写する際に必要な機能を絞り込んで、ユーザによる明示的な設定が要求される機能を大幅に限定することができる。関連機能検索部１６による検索結果は、原稿に関連するメニュー項目として操作パネル１８上に表示、あるいは、既にメニューが表示されている場合はその表示を更新する（ステップＳ１０６）。
【０１１７】
ユーザは、次の原稿を読み取り位置にセットすると（ステップＳ１０７）、ステップＳ１０１に戻り、複写開始ボタンが押されるまで上記動作が繰り返し行われる。
【０１１８】
ステップＳ１０１において、複写開始ボタンが押された場合、この時点までにユーザによって設定された機能を画像印刷部１４に反映させ（ステップＳ１０８）、既に読み込みが完了して画像記憶部１２内に蓄積されている原稿の画像データを設定条件にて印刷する（ステップＳ１０９）。この印刷処理は、画像記憶部１２内の画像データを全て印刷するまで繰り返される（ステップＳ１１０）。
【０１１９】
画像記憶部１２内に蓄積された画像データの印刷が完了した後は、通常の複合機や複写機と同じ動作となり、次原稿の有無を判断する（ステップＳ１１１）。ここで次原稿がある場合は、読み取り位置にセットし（ステップＳ１１２）、複写開始ボタンが押下されるのを待って（ステップＳ１１３）、原稿の読み取り処理を行い（ステップＳ１１４）、読み取った画像データを上記設定条件によって印刷処理される（ステップＳ１１５）。この処理は、原稿がなくなるまで繰り返し行われる（ステップＳ１１１）。
【０１２０】
本第３の実施の形態では、操作パネルの表示部１８１の面積に制約があって、通常の既定メニューと関連機能の簡易メニューとが同時に表示することができない場合については、不図示のメニュー切り替えボタンを用意して両者を交互に切り替えて使用すれば良い。例えば、図４−１に示す原稿の場合は、原稿の濃度が若干薄いため、図４−２に示す簡易メニューには、濃度に関する選択肢が表示され、その中の「やや濃く」のボタンが推奨されている。これは、特性値から最もふさわしいと判断される値（推奨値）をデフォルト状態として選択したためであるが、単に選択肢を表示するだけであっても勿論良い。
【０１２１】
さらに、図４−１の原稿を見るとわかるように、左余白が極端に少ない原稿であるため（上部余白があるので、関連機能としてステープルやパンチ穴に関する項目はある）、図４−２に示す簡易メニューでは、ステープル位置やパンチ穴位置の選択肢から「左２箇所」のボタンが省略されている。さらに、図４−１の原稿は全面原稿であるため、ステープル位置の選択肢の中から「中綴じ」のボタンが省略されている。
【０１２２】
また、図５−１に示す原稿の場合は、原稿の濃度が適切であるため、図４−２に示す簡易メニューには、濃度に関する項目が省略されている。さらに、図５−１の原稿は、文字だけの原稿であるため、コントラストに関する選択肢の中で「高め」が推奨されている。なお、図４−１の原稿は、文字と写真が混在しているため、関連機能としてコントラスト調整が必要であり、図４−２の簡易メニューにもコントラストの項目は存在しているが、ここでは図示を省略している。
【０１２３】
また、図５−１の原稿は２段組であって、上と左の余白が十分にあるため、ステープル位置とパンチ穴位置に関する設定項目では、全ての選択肢のボタンが提示されている。
【０１２４】
このように、第３の実施の形態によれば、印刷設定の受け付けに先立って対象となる原稿を読み取り、原稿の属性を表す特性値を抽出して、特性値に対応した関連機能を検索し、その結果絞り込まれた検索結果を操作パネルに表示する設定メニューに反映させたため、ユーザは操作パネルに表示された原稿に関連した絞り込まれたメニュー項目の中だけで設定すればよく、短時間で効率良く容易に設定することができる。また、対象原稿と関係のない設定項目は表示されないため、確実に誤設定を防止することができる。
【０１２５】
[第４の実施の形態]
上記第３の実施の形態では、図４−２あるいは図５−２に示すように、原稿特性値に対応した関連機能の選択肢のみを操作パネルに表示したが、本第４の実施の形態では、操作パネル１８の表示部１８１に通常の既定メニューと関連機能の簡易メニューとを同時に表示させた場合の表示例について説明する。
【０１２６】
図６は、操作パネルに表示した通常の既定メニューに対して関連機能の簡易メニューをポップアップ表示した画面例を示す図であり、図７は、操作パネルの表示部に通常の既定メニューと関連機能の簡易メニューとを別エリアで表示した画面例を示す図であり、図８は、操作パネルの表示部に表示した通常の既定メニューに対して関連機能の選択肢を強調表示した画面例を示す図である。
【０１２７】
まず、図６に示すように、操作パネル１８の表示部には、通常の既定メニュー１８３が表示されており、その既定メニュー１８３を使って通常の印刷設定を行い、操作パネル制御部１７で操作パネル１８から入力された印刷設定を受け付けることも可能である。これは、熟練者が既定メニュー１８３を使って印刷設定を行う場合に適している。しかし、中には印刷設定に慣れていないユーザが居るため、既定メニュー１８３の中で原稿と関連した機能を選択する際に自動的に簡易メニュー１８４がポップアップ表示するようにしたり、最初から簡易メニューを使って設定したい場合は、簡易メニュー表示ボタン（図示省略）を押下して、図６に示すような簡易メニュー１８４をポップアップ表示させることで、容易かつ適切に印刷設定を行うことができる。
【０１２８】
図７の場合は、操作パネル１８の表示部を既定メニュー１８３を表示するエリアと、簡易メニュー１８４を表示するエリアとに分けて同時に表示させたものである。このように、既定メニュー１８３と簡易メニュー１８４とが同時に表示可能であれば、熟練者は右側に提示された簡易メニュー１８４を無視し、既定メニュー１８３を使って詳細な印刷設定を行うことができる。また、初心者の場合は、左側に提示された既定メニュー１８３を無視して、簡易メニュー１８４だけを使って容易かつ適切に印刷設定を行うことができる。このように、図７の場合は、メニュー表示の切り替え等を行う必要がない上、ユーザの熟練度に関係なくいつでも自由に設定することができる。
【０１２９】
図８の場合は、操作パネル１８の表示部に既定メニュー１８３を表示させておき、関連機能の簡易メニューを別に表示することはしない。つまり、既定メニュー１８３の項目は、簡易メニューに相当する関連機能を全て含んでいるため、別エリアに表示するのではなく、既定メニュー１８３の中で関連機能であることが一見して容易に認知できるように、該当する選択ボタン１８５、１８６、１８７を強調表示したものである。これにより、印刷設定経験の短いユーザは、強調された選択肢だけを見ながら容易かつ適切に設定することができ、熟練者の場合には、強調表示されている選択肢を無視して、既定メニューを使って詳細に印刷設定を行うことが可能である。強調表示を行う方法としては、例えば、選択ボタンを点滅させたり、文字色や背景色を変更したり、文字色／背景色を反転させることなどが考えられるが、必ずしもこれに限定されず、他の選択ボタンと識別可能な表示方法であればいかなるものであってもよい。
【０１３０】
このように、第４の実施の形態によれば、操作パネル１８の表示部に既定メニューと簡易メニューとを同時に表示させて、両方のメニューをユーザが任意に使い分けられるようにしたため、印刷設定経験の短いユーザから熟練者までのあらゆるユーザに適した設定環境を提供することができる。
【０１３１】
[第５の実施の形態]
本第５の実施の形態の画像形成装置の特徴は、ＡＤＦ機能を有する原稿読取部１１を用いて複数枚の原稿を自動読み取りできるようにした点にあり、図１に示すように、画像形成装置１０の原稿読取部１１にＡＤＦ１１３が装着されている。
【０１３２】
図１０は、第５の実施の形態の動作を説明するフローチャートである。以下、この第５の実施の形態の動作について図１、図３、および図１０を用いて説明する。まず、図１に示す原稿読取部１１のスキャナ１１１に複数枚の原稿をまとめてセットし（ステップＳ２００）、操作パネル１８上に配置した図示省略の読取開始ボタンが押下されたか否かをシステム制御部１９が監視する（ステップＳ２０１）。
【０１３３】
ここで、ユーザが操作パネル１８を使って各種印刷設定を行い、操作パネル制御部１７で操作パネル１８から入力された印刷設定を受け付けた後、操作パネル１８上で複写開始ボタンが押下された場合は、従来の複合機や複写機の動作と同じになるため、ここではその動作説明は省略する。
【０１３４】
上記ステップＳ２０１において、読取開始ボタンが押下されると、印刷処理は行われず、原稿の連続読み取りのみが実行される（ステップＳ２０２）。原稿１ページ分を読み取る度に、読み取られた画像データは順次画像記憶部１２に保存され（ステップＳ２０３）、画像解析部１５において画像データに対してＯＣＲ処理を実行して、原稿に関する各種特性値が算出される（ステップＳ２０４）。この画像解析部１５では、ＯＣＲ処理を実行するため、様々なテクニックを利用して原稿特性値を算出している。例えば、画像領域を分割することにより、上下左右の余白寸法やレイアウトに関する特性値を算出し、文字方向を特定することにより、原稿方向に関する特性値を算出し、文字を分割することにより、文字サイズの特性値を算出し、画素ピクセルを解析することにより、使用色、原稿濃度、あるいは画素密度といった特性値を算出している。そして、このようにして算出された特性値のうち、上下左右の余白寸法や文字サイズ、原稿濃度、画素密度といった定量的に測定可能な値については、平均値や最大値、最小値といった統計情報もあわせて算出し、ページ読み取りの進行に従って、これらの値を逐次更新している。特に、第５の実施の形態のように、ＡＤＦ１１３を使って複数枚の原稿を読み取る場合は、統計情報を算出することにより、複数枚の原稿に対する印刷設定を行う際に必要な機能を適切に絞り込むことができる。
【０１３５】
算出される特性値の種類は、図３に示すように、画像関係、レイアウト関係、ＡＤＦ関係の３つに大きく分類することができ、各分類の中身はさらに細分化されている。この特性値の種類と関連する設定項目については、図３を使い上記第３の実施の形態で説明しているため、ここでは重複説明を省略する。
【０１３６】
関連機能検索部１６は、画像解析部１５で算出された原稿特性値に基づいて図３に示す関連機能ＤＢ１６１の関連機能対応表と照合して、原稿２２を複写する際に必要な関連機能を検索する（ステップＳ２０５）。この関連機能検索部１６における具体的な動作例については、第３の実施の形態で説明したものと同様であるため、説明を省略する。
【０１３７】
このようにして、関連機能検索部１６による検索結果は、原稿に関連するメニュー項目として操作パネル１８上に表示、あるいは、既にメニューが表示されている場合はその表示を更新する（ステップＳ２０６）。
【０１３８】
次の原稿は、ＡＤＦ１１３により読み取り位置に自動的にセットされ（ステップＳ２０７）、ステップＳ２０２に戻って、原稿読み取り動作以下が繰り返し行われる。
【０１３９】
そして、ステップＳ２０８において、システム制御部１９は、上記ステップＳ２００〜ステップＳ２０７の原稿情報読取段階における動作中に複写開始ボタンが押されたか否かを監視し、押されていない場合は、原稿情報読取段階の処理を継続する。
【０１４０】
ステップＳ２０８において、複写開始ボタンが押されたと判断すると、原稿情報読取段階処理を直ちに中断し（ステップＳ２０９）、この時点までにユーザが操作パネルの表示に基づいて設定した機能を印刷部に反映させ（ステップＳ２１０）、画像記憶部１２内に蓄積された画像データをその設定条件で印刷する（ステップＳ２１１）。この印刷処理は、画像記憶部１２内の画像データを全て印刷するまで繰り返される（ステップＳ２１２）。
【０１４１】
画像記憶部１２内に蓄積された画像データの印刷が全て完了した後は、通常の複合機や複写機と同じ動作となり、次原稿の有無を判断する（ステップＳ２１３）。ここで次原稿がある場合は、ＡＤＦ１１３が次原稿を自動的に読み取り位置にセットし（ステップＳ２１４）、原稿の読み取り処理を行い（ステップＳ２１５）、読み取った画像データを上記設定条件にて印刷処理される（ステップＳ２１６）。この処理は、原稿がなくなるまで繰り返し行われる（ステップＳ２１３）。
【０１４２】
このように、第５の実施の形態によれば、原稿読取部１１にＡＤＦ１１３が搭載されており、複数枚からなる原稿を順次読み取り位置にセットしながら自動読み取りを行い、原稿の属性を表す特性値をそれぞれ抽出し、その特性値に対応した関連機能を検索するため、より適切な設定と迅速な処理が可能となり、複数枚の原稿から得られる特性値を活用することによって、必要な機能をより適切に絞り込むことができる。
【０１４３】
また、第５の実施の形態によれば、複数枚からなる原稿を順次読み取りながら原稿特性値を解析する処理の途中で複写開始ボタンが押された場合は、解析処理を直ちに中断するようにしたため、印刷時に画像処理するの処理能力が解析処理によって低下するのを確実に防止することができる。
【０１４４】
なお、上記した第１〜第５の実施の形態における画像形成装置には、図１に示すように、システム制御部１９にＣＰＵ、ＲＯＭ、ＲＡＭなどを備え、操作パネル１８にはディスプレイ装置などの表示部１８１と、タッチパネルなどを使った入力部１８２とを具備し、さらに図示省略したＨＤＤやＣＤドライブなどの外部記憶部などを備えたものも普及しつつある。
【０１４５】
このようなハードウェア構成からなる本実施の形態の画像形成装置で実行されるプログラムは、ＲＯＭ等に予め組み込んで提供するように構成しても良く、また、インストール可能な形式又は実行可能な形式のファイルでＣＤ−ＲＯＭ等のコンピュータで読み取り可能な記録媒体に記録して提供してもよい。
【０１４６】
さらに、本実施の形態の画像形成装置で実行されるプログラムは、インターネット等のネットワーク２１を介してダウンロードさせることにより提供または配布するように構成しても良い。
【０１４７】
本実施の形態の画像形成装置で実行されるプログラムは、ＣＰＵ（プロセッサ）がＲＯＭなどの記録媒体からプログラムを読み出して実行することにより、ＨＤＤなどの主記憶装置上にロードされて生成されるようになっている。
【産業上の利用可能性】
【０１４８】
以上のように、本発明にかかる画像形成装置、画像形成システム、画像形成方法、その方法をコンピュータに実行させるプログラムは、原稿の印刷設定を実行する前に読み取ったり外部から送られてきた原稿の画像データを解析し、原稿属性を表す特性値を抽出して、特性値に関連する機能を検索することで設定項目を絞り込むようにした複写機、ファクシミリ、プリンタ、それらの複合機などの画像形成装置、画像形成システム、画像形成装置方法、その方法をコンピュータに実行させるプログラムに適している。
【図面の簡単な説明】
【０１４９】
【図１】本発明の画像形成装置の概略構成を説明するブロック図である。
【図２】第２の実施の形態にかかる画像形成システムの概略構成を説明するネットワーク構成図である。
【図３】画像解析部で抽出された原稿特性値と関連付けられた設定項目例を示す関連機能ＤＢの関連機能対応表を示した図である。
【図４−１】画像濃度のやや薄い原稿イメージ例を示した図である。
【図４−２】図４−１の原稿に基づいて絞り込まれた印刷設定用の簡易メニュー例を示した図である。
【図５−１】適切な画像濃度で２段組みで構成された原稿イメージ例を示した図である。
【図５−２】図５−１の原稿に基づいて絞り込まれた印刷設定用の簡易メニュー例を示した図である。
【図６】操作パネルに表示した通常の既定メニューに対して関連機能の簡易メニューをポップアップ表示した画面例を示す図である。
【図７】操作パネルの表示部に通常の既定メニューと関連機能の簡易メニューとを別エリアで表示した画面例を示す図である。
【図８】操作パネルの表示部に表示した通常の既定メニューに対して関連機能の選択肢を強調表示した画面例を示す図である。
【図９】第３の実施の形態の動作を説明するフローチャートである。
【図１０】第５の実施の形態の動作を説明するフローチャートである。
【符号の説明】
【０１５０】
１０  画像形成装置
１１  原稿読取部
１１１  スキャナ
１１２  スキャナコントローラ
１１３  ＡＤＦ
１１４  原稿読取装置
１２  画像記憶部
１３  画像処理部
１３１  画像処理装置
１４  印刷部
１４１  プリンタ
１４２  プリンタコントローラ
１４３  仕上げ処理部
１４４  印刷装置
１５  画像解析部
１６  関連機能検索部
１６１  関連機能ＤＢ
１７  操作パネル制御部
１８  操作パネル
１８１  表示部
１８２  入力部
１８３  既定メニュー
１８４  簡易メニュー
１８５，１８６，１８７  選択ボタン
１９  システム制御部
２０  通信制御部
２１  ネットワーク
２２  原稿
２３  印刷物
【図１】
2006222941.tif 000003
【図２】
2006222941.tif 000004
【図３】
2006222941.tif 000005
【図４−１】
2006222941.tif 000006
【図４−２】
2006222941.tif 000007
【図５−１】
2006222941.tif 000008
【図５−２】
2006222941.tif 000009
【図６】
2006222941.tif 000010
【図７】
2006222941.tif 000011
【図８】
2006222941.tif 000012
【図９】
2006222941.tif 000013
【図１０】
2006222941.tif 000014